(57)【要約】切欠きに沿って２列に並びシューレース３が通る第１ハトメ孔を有し、サブアッパーは前方延出部２ｆを有している。前方延出部２ｆには第２ハトメ孔を形成するハトメ部２４が設けられている。第２ハトメ孔の近傍のシューレース３の部位による締付力でハトメ部２４が足の中央に引き寄せられると共にハトメ部２４が貫通孔においてメインアッパー２に係合することで屈曲し、これにより、締付力の方向が変えられて前方延出部２ｆを含む上部２ｕが前方に向って引っ張られ、かつ、第１ハトメ孔のうち第２ハトメ孔よりも後方の第１ハトメ孔の近傍のシューレース３の部位による締付力で、メインアッパー１が足の中央に引き寄せられて、メインアッパー１に覆われた前方延出部２ｆの部分が足の上部側面に押し付けられて、サブアッパー２の上部が足の上部側面にフィットする。
2011058614.tif 000002
【特許請求の範囲】
【請求項１】
踵のフィッティングを改良した靴であって、
爪先の先端から踵の側面まで連なって、前記爪先、足の内側および外側を各々覆うメインアッパーと、前記メインアッパーとは別の部材で形成され前記メインアッパー内において踵を覆い中足骨の遠位骨頭を覆わないサブアッパーと、前記メインアッパーおよびサブアッパーを足にフィットさせるシューレースと、前記メインアッパーおよびサブアッパーの下縁の固着縁部が固着されるソールとを備え、
前記メインアッパーは舌片で覆われた切欠きと、前記切欠きに沿って２列に並び前記シューレースが通る第１ハトメ孔とを有し、
前記サブアッパーは、距骨の内側面および外側面と踵骨の内側面、外側面および背面を各々覆う部分を有し、前記各側面および背面において足の表面に接触し、
前記サブアッパーは下部と、前記下部の上方の上部とを有し、前記下部は前記メインアッパーに覆われ、
前記舌片の後部と前記サブアッパーの上部は、着用時に脚が上方に出る履口を形成しており、前記履口においてフィットし、
前記上部は、内外の踝の真下から後方に向って斜め上方に延びて前記外踝の下端よりも上方のレベルにおいてアキレス腱の下部を覆い、
前記上部は前記内外の踝の真下から前方に向って踵骨の前端よりも前方に延びる前方延出部を有し、前記前方延出部の少なくとも一部は前記アッパーに覆われており、前記前方延出部を含む前記上部は前記メインアッパーに付着されておらず、
前記前方延出部には第２ハトメ孔を形成するハトメ部が設けられており、
前記メインアッパーの内外には前記ハトメ部が通り前記第２ハトメ孔を前記メインアッパーの外に露出させる貫通孔が形成されており、
前記シューレースが前記複数の第１および第２ハトメ孔に通されて締付力を発揮した状態において、
前記第２ハトメ孔の近傍のシューレースの部位による締付力で前記ハトメ部が足の中央に引き寄せられると共に前記ハトメ部が前記貫通孔において前記メインアッパーに係合することで屈曲し、これにより、前記締付力の方向が変えられて前記前方延出部を含む前記上部が前方に向って引っ張られ、かつ、前記第１ハトメ孔のうち前記第２ハトメ孔よりも後方の前記第１ハトメ孔の近傍のシューレースの部位による締付力で、前記メインアッパーが足の中央に引き寄せられて、前記メインアッパーに覆われた前記前方延出部の部分が足の上部側面に押し付けられて、前記サブアッパーの前記上部が足の前記上部側面にフィットする靴。
【請求項２】
踵のフィッティングを改良した靴であって、
爪先の先端から踵の側面まで連なって、前記爪先、足の内側および外側を各々覆うメインアッパーと、前記メインアッパーとは別の部材で形成され前記メインアッパー内において踵を覆い中足骨の遠位骨頭を覆わないサブアッパーと、前記メインアッパーおよびサブアッパーを足にフィットさせるシューレースと、前記メインアッパーおよびサブアッパーの下縁の固着縁部が固着されるソールとを備え、
前記メインアッパーは舌片で覆われた切欠きと、前記切欠きに沿って２列に並び前記シューレースが通る第１ハトメ孔とを有し、
前記サブアッパーは、距骨の内側面および外側面と踵骨の内側面、外側面および背面を各々覆う部分を有し、前記各側面および背面において足の表面に接触し、
前記サブアッパーは下部と、前記下部の上方の上部とを有し、前記下部は前記メインアッパーに覆われ、
前記舌片の後部と前記サブアッパーの上部は、着用時に脚が上方に出る履口を形成しており、前記履口において足にフィットし、
前記サブアッパーの上部は足の上部にフィットするのに役立つクッション材が生地に積層された積層部を有しており、前記積層部は前記クッション材により前記足の表面に向って膨らんでおり、
前記上部の積層部は、内外の踝の真下から後方に向って斜め上方に延びて前記外踝の下端よりも上方のレベルにおいてアキレス腱の下部を覆い、
前記上部は前記内外の踝の真下から前方に向って踵骨の前端よりも前方に延びる前方延出部を有し、前記前方延出部の少なくとも一部は前記アッパーに覆われており、前記前方延出部を含む前記上部は前記メインアッパーに付着されておらず、
前記前方延出部には第２ハトメ孔を形成するハトメ部が設けられており、
前記メインアッパーの内外には前記ハトメ部が通り、前記第２ハトメ孔を前記メインアッパーの外に露出させる貫通孔が形成されており、
前記シューレースが前記複数の第１および第２ハトメ孔に通されて締付力を発揮した状態において、
前記第２ハトメ孔の近傍のシューレースの部位による締付力で前記ハトメ部が足の中央に引き寄せられると共に前記ハトメ部が前記貫通孔において前記メインアッパーに係合することで屈曲し、これにより、前記締付力の方向が変えられて前記前方延出部を含む上部が前方に向って引っ張られ、かつ、前記第１ハトメ孔のうち前記第２ハトメ孔よりも後方の前記第１ハトメ孔の近傍のシューレースの部位による締付力で、前記メインアッパーが足の中央に引き寄せられて、前記メインアッパーに覆われた前記前方延出部の部分が足の上部側面に押し付けられて、前記クッション材を有する積層部が足の前記上部側面にフィットする靴。
【請求項３】
請求項２の靴において、前記前方延出部は前記サブアッパーの前記固着縁部よりも前方に延び、前記サブアッパーの固着縁部の前端は踵骨の前端よりも後方に配置され、前記前方延出部の下縁の非固着縁部は前記下縁の固着縁部の前端に向かって斜め後方に延びる。
【請求項４】
請求項２の靴において、前記サブアッパーの上部は内踝および外踝の後端の真下から踵の背面にわたって前記メインアッパーに収容されていない露出部を有し、
前記メインアッパーは前記踵骨の下部を背面から覆っている。
【請求項５】
請求項４の靴において、前記メインアッパーと前記サブアッパーとは、踵の背後において互いに付着されており、かつ、踝の真下の前記サブアッパーの上部およびその前方の部位において互いに付着されていない。
【請求項６】
請求項２の靴において、前記シューレースの締付時に前記サブアッパーの上部が前後に伸びるように、生地が柔軟な素材で形成されている。
【請求項７】
請求項６の靴において、前記生地は前記クッション材を挟む内皮および外皮で形成され、前記外皮には前記サブアッパーの上縁から離れた下方に、前記積層部が足の側面に沿うように、前記積層部よりも硬く平面断面がＵ字形状の合成樹脂からなるカウンターが踵の背面から内外の側面にわたって固着されている。
【請求項８】
前記請求項７の靴において、前記カウンターの前端よりも前方に前記前方延出部が延びており、
前記内外のカウンターの前端よりも前方の部位において前記シューレースの締付力により前記メインアッパーが前記前方延出部を足の側面に押し付ける。
【請求項９】
請求項８において、前記カウンターはサブアッパーの積層部に沿って配置され、
前記メインアッパーの上縁は後方に向って踵の後端まで斜め下方に延びており、
前記メインアッパーは前記カウンターの前端部を覆い、かつ、前記サブアッパーの上部において前記カウンターの後部を覆わない。
【請求項１０】
踵のフィッティングを改良した靴であって、
爪先の先端から踵の側面まで連なるメインアッパーと、前記メインアッパーとは別の部材で形成され前記メインアッパー内において踵に沿うサブアッパーと、前記メインアッパーおよびサブアッパーを足にフィットさせるシューレースと、前記メインアッパーおよびサブアッパーの下縁の固着縁部が固着されるソールとを備え、
前記メインアッパーは前記シューレースが通る第１ハトメ孔を有し、
前記サブアッパーは踵を覆う柔軟な部分を有し、前記メインアッパー内において前記踵の側面および背面に接触し、
前記サブアッパーは下部と前記下部の上方の上部とを有し、前記下部は前記メインアッパーに覆われ、
前記舌片の後部と前記サブアッパーの上部は、着用時に脚が上方に出る履口を形成しており、前記履口においてフィットし、
前記上部には第２ハトメ孔を形成するハトメ部が設けられており、
前記メインアッパーの内外には前記ハトメ部が通り、前記第２ハトメ孔を前記メインアッパーの外に露出させる貫通孔が形成されており、
前記シューレースが前記複数の第１および第２ハトメ孔に通されて締付力を発揮した状態において、
前記第２ハトメ孔の近傍のシューレースの部位による締付力で前記ハトメ部が足の中央に引き寄せられることで前記上部が前方に向って引っ張られて足の前記上部側面にフィットする靴。
【請求項１１】
請求項１０の靴において、前記サブアッパーの上部は足の上部にフィットするのに役立つクッション材と前記クッション材を挟む内皮および外皮とが積層された積層部を有しており、前記積層部は前記クッション材により足の表面に向って膨らんでおり、
前記上部の積層部は内外の踝の真下から後方に向って延び、
前記上部は前記内外の踝の真下から前方に向って踵骨の前端よりも前方に延びて前記サブアッパーの前記固着縁部よりも前方に延びる前方延出部を有する。
【請求項１２】
請求項１１の靴において、前記シューレースが前記複数の第１および第２ハトメ孔に通されて締付力を発揮した状態において、前記積層部が前方に引っ張られて足の上部側面にフィットする。
【請求項１３】
請求項１２の靴において、前記シューレースが前記複数の第１および第２ハトメ孔に通されて締付力を発揮した状態において、前記第１ハトメ孔のうち前記第２ハトメ孔よりも後方の前記第１ハトメ孔の近傍のシューレースの部位による締付力で、前記メインアッパーが足の中央に引き寄せられて、前記メインアッパーの内の前記上部の前方延出部が足の前記上部側面に押し付けられて、前記クッション材を有する積層部が足の前記上部側面にフィットする。
【請求項１４】
請求項１０の靴において、前記サブアッパーは内踝および外踝の後端の真下から踵の背面にわたって前記メインアッパーに収容されていない露出部を有し、
前記メインアッパーは前記踵骨の下部を背面から覆っている。
【請求項１５】
請求項１４の靴において、前記メインアッパーと前記サブアッパーとは、踵の背後において互いに付着されており、かつ、踝の真下の前記サブアッパーの上部およびその前方の部位において互いに付着されていない。
【請求項１６】
請求項１０の靴において、前記外皮には前記サブアッパーの上縁から離れた下方に、前記上部が足の側面に沿うように、前記積層部よりも硬く平面断面がＵ字形状の合成樹脂からなるカウンターが踵の背面から内外の側面にわたって固着されている。
【請求項１７】
前記請求項１６の靴において、前記カウンターの前端よりも前方に前記前方延出部が延びており、
前記内外のカウンターの前端よりも前方の部位において前記シューレースの締付力により前記メインアッパーが前記前方延出部を足の側面に押し付ける。
【請求項１８】
請求項１７において、前記カウンターはサブアッパーの積層部に沿って配置され、
前記メインアッパーの上縁は後方に向って踵の後端まで斜め下方に延びており、
前記メインアッパーは前記カウンターの前端部を覆い、かつ、前記サブアッパーの上部において前記カウンターの後部を覆わない。
【発明の詳細な説明】
【技術分野】
【０００１】
本発明は、歩行や走行を含む運動中の踵の動きに応じたフィット性能を改良した靴に関し、特にフットフラットから離地に至る踵の動きに応じたフィット性能を改良した靴に関する。
【背景技術】
【０００２】
歩行や走行時に足の踵がアッパーの内部で大きく動くと、歩行や走行時に足を安定して保持しにくくなったり、力のロスが生じる。したがって、踵がアッパーにフィットするフィット性能は靴の重要な機能である。
このような踵のフィット感の向上を狙った先行技術は数多く存在する（特許文献１〜４参照）
【先行技術文献】
【特許文献】
【０００３】
【特許文献１】特開２００８−１３２２２７（要約書）
【特許文献２】特開平２−５９０３（要約書）
【特許文献３】ＵＳ４，６７０，９９８（要約書）
【特許文献４】特開平６−２１７８０６（要約書）
【０００４】
特許文献１にはアッパー本体を包む外側アッパーを設けたアッパー構造体が開示されている。前記アッパー本体の前部と踵部との間には伸縮領域が設けられている。
このアッパー本体は着用する際に履口が広がり着用中に履口が縮むので、踵におけるフィット感が得られるかもしれない。【０００５】
特許文献２には踵骨の背面および両側面を覆う硬質のスターラップが開示されている。この硬質のスターラップは強化繊維を含む硬いプラスチックで形成されている。
かかるスターラップは舟状骨が回転するのを抑制するのに役立つかもしれない。【０００６】
特許文献３には略Ｖ字状のスターラップが開示されている。このスターラップは中足の支持、特に、舟状骨の不用意な動きを抑制するかもしれない。【０００７】
特許文献４にはソックインナとストラップを備えた靴が開示されている。特許文献４においてソックインナは伸縮する素材で形成されており、ストラップは柔らかいソックインナを踵にフィットさせるかもしれない。
【発明の概要】
【発明が解決しようとする課題】
【０００８】
しかし、前記各文献において、運動中、特にフットフラットから離地に至る足の踵の動きについての研究は開示されていない。【０００９】
本発明の構成の説明に先立って前記踵の動きについて説明する。
図１６は立位時の足の内側面図を示し、図１７は蹴り出し時の内側面図を示す。これらの図において、点Ｏ１〜Ｏ１２は足の表面に付したマーカーであり、図中の数値は各点の間の寸法をミリメートル単位で示したものである。【００１０】
立位時と蹴出時とを比べると、足の踵の下部（点Ｏ３−点Ｏ１１間の距離、点Ｏ３−点Ｏ１２間の距離）および後部（点Ｏ１１−点Ｏ１２間の距離）は踝等を中心に縮んでいることが分かる。この踵の縮みはアッパーと足との間のズレの原因となるだろう。【００１１】
このように、足の踵は前方に向って３ｍｍ程度縮むのに対し、ソールの上面の踵部は差程縮まないだろう。したがって、アッパーの踵部が伸縮し、これにより、アッパーの後端が踵の後端に向って移動するように形成しても、前記アッパーは前記ソールで拘束されているから、踵部のフィット性能は差程向上しないだろう。【００１２】
すなわち、踵がアッパー内で動かないようにするには、アッパーの側面が踵の上部側面に押し付けられてこれらの間にズレが生じないようにすることが肝要であろうと推測される。【００１３】
前記特許文献１に開示されたアッパー本体は、前足から後足まで下部がソールに一体に連なっている。そのため、アッパー本体の踵の部位において、伸縮性を有する上部が縮む際に、伸縮性を有しない下部が足幅方向に拡がるかもしれない。したがって、踵のフィット感が損なわれるだろう。【００１４】
前記特許文献２に開示されたスターラップの前部は斜め下方に延び、スターラップは踝の真後を覆っていない。そのため、硬い前記スターラップには斜め前方に向って引張力が作用するだろう。
したがって、前記スターラップは舟状骨の回転の抑制には役立つが、踝の下方においてアッパーの上部側面が踵の上部側面にフィットするのには差程役立たないだろう。【００１５】
また、前記スターラップはアッパーのポケット内に一部が収容されており、更に、後足部においてアッパーの上縁よりも下方に配置されており、履口を形成するアッパーの上縁部を足の側面に押し付けることはできないだろう。【００１６】
特許文献３，４に開示されたアッパーは前足から後足までソールと一体である。そのため、シューレースの締付力が履口に集中しにくく、履口近傍のアッパーの部位は足の側面に沿いにくく、また、アッパーの踵の部位が足幅方向に拡がり易いだろう。【００１７】
したがって、本発明の目的は、歩行や走行を含む運動中、特にフットフラットから離地に至る踵の動きに応じたフィット感の得られる靴を提供することである。
【課題を解決するための手段】
【００１８】
前記目的を達成するために、本発明のある態様の靴は、踵のフィッティングを改良した靴であって、爪先の先端から踵の側面まで連なって、前記爪先、足の内側および外側を各々覆うメインアッパーと、前記メインアッパーとは別の部材で形成され前記メインアッパー内において踵を覆い中足骨の遠位骨頭を覆わないサブアッパーと、前記メインアッパーおよびサブアッパーを足にフィットさせるシューレースと、前記メインアッパーおよびサブアッパーの下縁の固着縁部が固着されるソールとを備え、前記メインアッパーは舌片で覆われた切欠きと、前記切欠きに沿って２列に並び前記シューレースが通る第１ハトメ孔とを有し、前記サブアッパーは、距骨の内側面および外側面と踵骨の内側面、外側面および背面を各々覆う部分を有し、前記各側面および背面において足の表面に接触し、前記サブアッパーは下部と、前記下部の上方の上部とを有し、前記下部は前記メインアッパーに覆われ、前記舌片の後部と前記サブアッパーの上部は、着用時に脚が上方に出る履口を形成しており、前記履口において足にフィットし、前記サブアッパーの上部は足の上部にフィットするのに役立つクッション材に生地が積層された積層部を有しており、前記積層部は前記クッション材により前記足の表面に向って膨らんでおり、前記上部の積層部は、内外の踝の真下から後方に向って斜め上方に延びて前記外踝の下端よりも上方のレベルにおいてアキレス腱の下部を覆い、前記上部は前記内外の踝の真下から前方に向って踵骨の前端よりも前方に延びる前方延出部を有し、前記前方延出部の少なくとも一部は前記アッパーに覆われており、前記前方延出部を含む前記上部は前記メインアッパーに付着されておらず、前記前方延出部には第２ハトメ孔を形成するハトメ部が設けられており、前記メインアッパーの内外には前記ハトメ部が通り、前記第２ハトメ孔を前記メインアッパーの外に露出させる貫通孔が形成されており、前記シューレースが前記複数の第１および第２ハトメ孔に通されて締付力を発揮した状態において、前記第２ハトメ孔の近傍のシューレースの部位による締付力で前記ハトメ部が足の中央に引き寄せられると共に前記ハトメ部が前記貫通孔において前記メインアッパーに係合することで屈曲し、これにより、前記締付力の方向が変えられて前記前方延出部を含む上部が前方に向って引っ張られ、かつ、前記第１ハトメ孔のうち前記第２ハトメ孔よりも後方の前記第１ハトメ孔の近傍のシューレースの部位による締付力で、前記メインアッパーが足の中央に引き寄せられて、前記メインアッパーに覆われた前記前方延出部の部分が足の上部側面に押し付けられて、前記クッション材を有する積層部が足の前記上部側面にフィットする。
【発明の効果】
【００１９】
本態様によれば、サブアッパーは踵のみを覆い、かつ、踏付の部位においてソールに固定されていないので、足の屈曲に容易に追従する。【００２０】
サブアッパーはメインアッパーとは別の部材で、メインアッパー内において踵の周囲を覆っている。そのため、メインアッパーが履口において足の幅方向に拡がっても、メインアッパーに付着されていないサブアッパーの上部の特にクッション材を有する積層部がシューレースの締付力で足の上部側面にフィットすることがメインアッパーに邪魔されない。【００２１】
前記貫通孔においてハトメ部がメインアッパーに係合して屈曲しており、シューレースの足の中央に引き寄せる締付力が前方への引張力に変わる。そのため、前記サブアッパーの前記上部の特に積層部には足の上部側面において前方への張力が働き、サブアッパーの上部の特に積層部が足の側面にフィットする。【００２２】
更に、距骨の側面において、シューレースの締付力によりメインアッパーがサブアッパーの前記前方延出部を外から内に向かって足の側面に押し付ける。これにより、前記サブアッパーの上部が足の平面断面に沿って湾曲し、サブアッパーの上部の特に前記積層部が足の上部側面にフィットする。すなわち、ハトメ部を介して前方へ引っ張られたサブアッパーの上部は平面断面がＵ字形状となるが、前記メインアッパーの押し付け力により、踝の真下から前方に向かうに従い足の中央に向って湾曲した形状となり、足の上部側面にフィットする。【００２３】
本発明において、前記積層部は必ずしも必要としない。
しかし、積層部を有している場合、クッション材を有する積層部は足の上部側面に押し付けられ易い。そのため、積層部を有する場合、フィット性能が高い。
また、積層部はサブアッパーを形成する生地の表面または裏面の一方に付着されて積層されたものでもよいし、クッション材が内皮および外皮（生地）に挟まれて積層されたものであってもよい。
【図面の簡単な説明】
【００２４】
【図１】図１は本発明の一実施例にかかる靴を示す足の内側から見た概略側面図である。
【図２】図２はサブアッパーをメインアッパーから分離した状態で示す足の内側から見た概略側面図である。
【図３】図３は同靴を示す足の外側から見た概略側面図である。
【図４】図４はサブアッパーを前記分離した状態で示す足の外側から見た概略側面図である。
【図５】図５はサブアッパーを前記分離した状態で示す足の後側から見た概略背面図である。
【図６】図６は舌片を開き中敷を取り外した状態の靴を足の内側から見た概略斜視図である。
【図７】図７は舌片を開き中敷を取り外した状態の靴を足の外側から見た概略斜視図である。
【図８】図８は同靴の概略平面図である。
【図９】図９は同靴の概略背面図である。
【図１０】図１０はシューレースによる締付構造を示す前方延出部近傍およびメインアッパーの一部を拡大した足の内側から見た概略側面図である。
【図１１】図１１は同外側から見た概略側面図である。
【図１２】図１２Ａ〜図１２Ｃは、サブアッパーを示す概略平面図である。
【図１３】図１３Ａは図８の XIIIA-XIIIA線断面図、図１３Ｂは図８の XIIIB-XIIIB線断面図である。
【図１４】図１４は同靴を履いた状態で足を蹴り出した状態を示す足の内側から見た概略側面図である。
【図１５】図１５は同靴を履いた状態で足を蹴り出した状態を示す足の外側から見た概略側面図である。
【図１６】図１６は立位時の足の内側側面図である。
【図１７】図１７は蹴り出し時の足の内側側面図である。
【発明を実施するための形態】
【００２５】
本発明の好ましい態様において、前記前方延出部は前記サブアッパーの前記固着縁部よりも前方に延び、前記サブアッパーの固着縁部の前端は踵骨の前端よりも後方に配置され、前記前方延出部の下縁の非固着縁部は前記下縁の固着縁部の前端に向かって斜め後方に延びる。
【００２６】
かかる態様によれば、下縁の固着縁部の前端が前方延出部の前端よりも後方に位置しており、前方延出部が前方に引っ張られた際に、積層部に前後方向に張力が作用することが妨げられない。したがって、積層部が足の上部側面にフィットし易い。
【００２７】
本発明の好ましい態様において、前記サブアッパーは内踝および外踝の後端の真下から踵の背面にわたって前記メインアッパーに収容されていない露出部を有し、前記メインアッパーは前記踵骨の下部を背面から覆っている。
【００２８】
かかる態様によれば、メインアッパーが踵骨の下部を背面から覆っており、メインアッパーは踵を保持する安定性能が高い。そのため、サブアッパーの剛性を小さくでき、したがって、サブアッパーのフィット性が高まるだろう。
サブアッパーのメインアッパーから露出した露出部は、メインアッパーの変形に連られて変形しないだろう。そのため、サブアッパーの上部は足幅方向に拡がらずに足の上部側面にフィットした状態が維持されるだろう。
【００２９】
本発明の好ましい態様において、前記メインアッパーと前記サブアッパーとは、踵の背後において互いに付着されており、かつ、踝の真下の前記サブアッパーの上部およびその前方の部位において互いに付着されていない。
【００３０】
かかる態様によれば、踝の真下の上部において両アッパーが互いに付着されていない。そのため、
i) メインアッパーは足の屈曲に伴って足幅方向に拡がり易く屈曲時の抵抗が小さい。
ii)メインアッパーが履口において拡がっても、サブアッパーがメインアッパーに拘束されておらず、したがって、サブアッパーが足の側面にフィットし易い。
iii) しかも、踵の背面において両アッパーが互いに付着されて踵背面の剛性が大きい。そのため、踵を保持する安定性能が高い。
【００３１】
本発明の好ましい態様において、前記シューレースの締付時に前記サブアッパーの上部が前後に伸びるように、前記内皮および外皮が柔軟な素材で形成されている。
【００３２】
かかる態様によれば、クッション材に柔軟な素材を積層したサブアッパーはメインアッパーに拘束されることなく足の側面に沿い易い。
【００３３】
本発明の好ましい態様において、前記外皮には前記サブアッパーの上縁から離れた下方に、前記積層部が足の側面に沿うように、前記積層部よりも硬く平面断面がＵ字形状の合成樹脂からなるカウンターが踵の背面から内外の側面にわたって固着されている。
【００３４】
かかる態様によれば、硬いＵ字形状のカウンターは柔軟なクッション材および内皮の足沿いを邪魔するおそれがなく、かつ、硬いカウンターが前記上部の足沿いを助ける。
【００３５】
本発明の好ましい態様において、前記カウンターの前端よりも前方に前記前方延出部が延びており、前記内外のカウンターの前端よりも前方の部位において前記シューレースの締付力により前記メインアッパーが前記前方延出部を足の側面に押し付ける。
【００３６】
かかる態様によれば、硬いカウンターよりも柔軟な前方延出部がメインアッパーにより足の側面に押し付けられる。そのため、前方延出部が足の甲の表面に沿って湾曲する。この湾曲は積層部に働いている前後方向の張力を飛躍的に増大させる。
【００３７】
本発明の好ましい態様において、前記カウンターはサブアッパーの積層部に沿って配置され、前記メインアッパーの上縁は後方に向って踵の後端まで斜め下方に延びており、前記メインアッパーは前記カウンターの前端部を覆い、かつ、前記サブアッパーの上部において前記カウンターの後部を覆わない。
【００３８】
かかる態様によれば、カウンターの前端部をメインアッパーが足の側面に押し付ける。そのため、カウンターに作用するモーメントが大きく、硬いカウンターであってもカウンターを足の側面に向って押し付けることができる。
【実施例１】
【００３９】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。【００４０】
以下、本発明の実施例が図面にしたがって説明される。以下の説明では、右足用の靴が例示して説明される。【００４１】
全体構成：
図１および図３に示すように、本実施例の靴は、メインアッパー１、サブアッパー２、シューレース３およびソール４を備えている。【００４２】
メインアッパー１は、図２および図４に示す爪先９の先端から踵８の背面まで連なって、前記爪先、足の内側および外側を覆う。
図１および図３に示すサブアッパー２は、後述するように、メインアッパー１とは別の部材で形成され、メインアッパー１内に配置されている。
シューレース３は、メインアッパー１およびサブアッパー２を足Ｆ（図２、図４）にフィットさせるものである。【００４３】
図６および図７においては靴の中敷（ソックライナー）が取り外されている。これらの図に示すように、ソール４の一部を構成する中底（インソール）にはメインアッパー１の下縁の固着縁部１ａが縫い合わされて固着されていると共に、サブアッパー２の下縁の固着縁部２ａが縫い合わされて固着されている。【００４４】
メインアッパー１：
図８に示すように、メインアッパー１は舌片５で覆われた切欠き１０と、切欠き１０に沿って２列に並び、シューレース３が通る第１ハトメ孔ｈ１〜ｈ３，ｈ５，ｈ６を有している。【００４５】
図１および図３に示すように、メインアッパー１はアキレス腱Ｔの下端を覆っておらず、かつ、踵骨Ｂ９の下部を背面から覆っている。
図８に示すように、中足領域において前記メインアッパー１の内外には貫通孔１１が形成されている。後述するように、前記貫通孔１１には、サブアッパー２に設けられた第２ハトメ孔ｈ４を有するハトメ部材（ハトメ部の一例）２４が挿通されて、該貫通孔１１を介して前記第２ハトメ孔ｈ４（図８）がメインアッパー２の外に露出される。【００４６】
サブアッパー２：
図１〜図４に示すように、サブアッパー２は下部２ｄと、前記下部２ｄの上方の上部２ｕとを有し、前記下部２ｄはメインアッパー１に覆われている。舌片５の後部とサブアッパー２の上部２ｕは、着用時に脚Ｌが上方に出る履口６を形成しており、履口６において足にフィットする。【００４７】
図２および図４に示すように、サブアッパー２は、その各側面および背面において、足Ｆの表面に接触している。サブアッパー２は、少なくとも踝Ｍよりも後方の踵８を覆うように形成されている。【００４８】
すなわち、図１に示すように、サブアッパー２は足Ｆの内側において、距骨Ｂ８、舟状骨Ｂ６および踵骨Ｂ９の内側面の少なくとも一部を覆っている。一方、図３に示すように、サブアッパー２は足の外側において、距骨Ｂ８、立方骨Ｂ７および踵骨Ｂ９の外側面の少なくとも一部を覆っている。そのため、図１〜図４に示すように、サブアッパー２は、踵８を覆い中足骨Ｂ４i を覆わないように設定されている。
なお、図１のＢ５1 は内側楔状骨を示している。【００４９】
図１３Ａおよび図１３Ｂに示すように、サブアッパー２は上部２ｕおよび下部２ｄに積層部２０，２９を有している。各積層部２０，２９は、網点で示すクッション材２１と、該クッション材２１を挟む内皮２２および外皮２３とが積層されてなる。前記クッション材２１は、例えば樹脂やゴムの発泡体の他に不織布（フェルト）などを採用することができ、サブアッパー２の上部２ｕおよび下部２ｄにおいて、足Ｆ（図２、図４）の上部にフィットするのに役立つ。クッション材２１の厚さは、上部の積層部２０が下部の積層部２９よりも厚く、かつ、上部の積層部２０はクッション材２１により足Ｆの表面に向って膨らんでいる。【００５０】
図２、図４および図５において、上部の積層部２０の部位には網点を施している。前記上部の積層部２０は、内外の踝Ｍの真下から後方に向って斜め上方に延びて外踝Ｍｌの下端よりも上方のレベルにおいてアキレス腱Ｔの下部を覆う。【００５１】
図１３Ａおよび図１３Ｂに示す前記内皮２２および外皮２３は、シューレース３の締付時にサブアッパー２の上部２ｕが前後に若干伸びるように柔軟な素材で形成されている。
サブアッパー２の内皮２２および外皮２３の材料としては、たとえば、舌片５に用いられるような布や合成皮革などを採用することができる。前記内皮２２および外皮２３はメインアッパー１の足の側面を覆う部位に比べ伸び易い柔軟な素材で形成されている。【００５２】
カウンター２４；
図１２Ａに示すように、前記外皮２３には平面断面がＵ字状の非発泡の合成樹脂からなるヒールカウンター２５が固着されている。図２、図４および図５に示すように、カウンター２５は、外皮２３の表面に固着されている。カウンター２５は、サブアッパー２の上縁２ｅから離れた下方に、上部の積層部２０が足Ｆの側面に沿うように固着されている。すなわち、カウンター２５はサブアッパー２の積層部２０に沿って配置されている。【００５３】
図１、図３および図９に示すように、メインアッパー１の上縁１ｅは後方に向って踵８（図２、図４）の後端まで斜め下方に延びている。
サブアッパー２は、内踝Ｍｍおよび外踝Ｍｌの後端の真下から踵８の背面にわたってメインアッパー１に収容されていない露出部２６を有している。
そのため、メインアッパー１は、サブアッパー２の上部２ｕにおいてカウンター２５の前端部を覆い、かつ、サブアッパー２の上部２ｕにおいて、すなわち、サブアッパー２の前記露出部２６において、カウンター２５の後部を覆わない。【００５４】
前方延出部２ｆ；
図１および図３に示すように、サブアッパー２の上部２ｕには、カウンター２５の前端よりも前方に延びる前方延出部２ｆが一体に形成されている。
前方延出部２ｆは、サブアッパー２の上部において、内外の踝Ｍｍ，Ｍｌの真下から前方に向って踵骨Ｂ９の両側面の前端よりも前方に延びる。【００５５】
メインアッパー１とサブアッパー２とは、それぞれ独立して可動するように踵８の背後の下部において互いに接着（付着）されており、かつ、サブアッパー２のソール４の巻上部分４１（アッパーと重なった部分）に覆われた部位において互いに接着（付着）され、かつ、踝Ｍの真下のサブアッパーの上部２ｕおよびその前方の部位において互いに接着（付着）されていない。そのため、前方延出部２ｆを含む上部２ｕはメインアッパー１に付着されておらず、メインアッパー１の形状の変化に連られて変形するおそれがない。すなわち、メインアッパー１が履口において拡がっても、サブアッパー２は拡がるおそれがない。【００５６】
前方延出部２ｆはサブアッパー２の固着縁部２ａよりも前方に延びている。一方、サブアッパー２の固着縁部２ａの前端は踵骨Ｂ９の前端よりも後方に配置されている。そのため、前方延出部２ｆは、その下縁の非固着縁部２ｂが下縁の固着縁部２ａの前端に向かって斜め下方の後方に延びる。前方延出部２ｆの少なくとも一部はアッパー１に覆われている。【００５７】
ハトメ部材２４；
前記内外の前方延出部２ｆには、メインアッパー１とは別の帯状のハトメ部材２４がそれぞれ固着（縫着）されている。図８のハトメ部材２４がループ状に形成されることにより、ハトメ部材２４には該ループ内をシューレース３が通る第２ハトメ孔ｈ４が形成されている。【００５８】
締付構造：
図８に示すように、前記シューレース３が前記複数の第１および第２ハトメ孔ｈ１〜ｈ６に通されて締付力を発揮した状態において、第２ハトメ孔ｈ４の近傍のシューレース３の部位３０（網点で示す部位）による締付力でハトメ部材２４が足の中央に向かって引き寄せられる。同時に、図１０および図１１に示すように、ハトメ部材２４が前記貫通孔１１においてメインアッパー１に係合することで屈曲し、これにより、前記締付力の方向が変えられて、図１２Ｂの前方延出部２ｆを含む上部２ｕが前方Ｘ（図１０）に向って引っ張られる。【００５９】
一方、図８に示す前記第１ハトメ孔ｈ１〜ｈ３、ｈ５、ｈ６のうち第２ハトメ孔ｈ４よりも後方の第１ハトメ孔ｈ５の近傍のシューレースの部位３１（網点で示す部位）による締付力で、メインアッパー１が足の中央に引き寄せられる。したがって、図１および図３に示すメインアッパー１に覆われた前方延出部２ｆの部分が、図１２Ｃの矢印１００の方向に向かって足Ｆ（図２、図４）上部側面に押し付けられて足の形状に沿って湾曲し、前記クッション材２１を有する積層部２０が足の前記上部側面にフィットする。【００６０】
したがって、図１４および図１５に示すように、蹴り出し時においてもクッション材２１が足の上部側面にフィットし、踵８の動きに拘わらずフィット感を得ることができる。【００６１】
以上のとおり、図面を参照しながら好適な実施例を説明したが、当業者であれば、本細書を見て、自明な範囲内で種々の変更および修正を容易に想定するであろう。
たとえば、図２の一点鎖線で示すように、サブアッパー２の内側は内側楔状骨Ｂ５1 （図１）の一部を覆っていてもよいし、第１中足骨Ｂ４1 （図１）の一部を覆ってもよい。
一方、サブアッパー２の外側は、履き心地の観点から第５中足骨Ｂ４5 を覆わないのが好ましい。
また、ハトメ部材２４を前方延出部２ｆに縫着する代わりに、前方延出部２ｆに樹脂や金属のハトメを用いて挿通孔を形成することでシューレース３が挿通可能なハトメ部を構成してもよい。
また、第２ハトメ孔ｈ４は足の内側および／または外側に各々複数設けられていてもよい。
したがって、そのような変更および修正は、請求の範囲から定まる本発明の範囲内のものと解釈される。
【産業上の利用可能性】
【００６２】
本発明は踵の動きに応じたフィット感の得られる靴に適用できる。
【符号の説明】
【００６３】
１：メインアッパー
１ａ：（メインアッパーの）固着縁部
１０：切欠き
１１：貫通孔
２：サブアッパー
２ａ：（サブアッパーの）固着縁部
２ｄ：（サブアッパーの）下部
２ｅ：（サブアッパーの）縁部
２ｆ：前方延出部
２ｕ：（サブアッパーの）上部
２０：積層部
２１：クッション材
２２：内皮
２３：外皮
２４：ハトメ部材
２５：カウンター
３：シューレース
４：ソール
５：舌片
６：履口
８：踵
９：爪先
Ａｔ：アキレス腱
Ｂ４n ：中足骨
Ｂ４ｆ：（中足骨）遠位骨頭
Ｂ８：距骨
Ｂ９：踵骨
Ｆ：足Ｆ
ｈ１〜ｈ３，ｈ５，ｈ６：第１ハトメ孔
ｈ４：第２ハトメ孔
Ｌ：脚
Ｍ：踝
Ｍｌ：外踝
Ｍｍ：内踝
【図１】
2011058614.tif 000003
【図２】
2011058614.tif 000004
【図３】
2011058614.tif 000005
【図４】
2011058614.tif 000006
【図５】
2011058614.tif 000007
【図６】
2011058614.tif 000008
【図７】
2011058614.tif 000009
【図８】
2011058614.tif 000010
【図９】
2011058614.tif 000011
【図１０】
2011058614.tif 000012
【図１１】
2011058614.tif 000013
【図１２】
2011058614.tif 000014
【図１３】
2011058614.tif 000015
【図１４】
2011058614.tif 000016
【図１５】
2011058614.tif 000017
【図１６】
2011058614.tif 000018
【図１７】
2011058614.tif 000019
【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
踵のフィッティングを改良した靴であって、
爪先の先端から踵の側面まで連なって、前記爪先、足の内側および外側を各々覆うメインアッパーと、前記メインアッパーとは別の部材で形成され前記メインアッパー内において踵を覆い中足骨の遠位骨頭を覆わないサブアッパーと、前記メインアッパーおよびサブアッパーを足にフィットさせるシューレースと、前記メインアッパーおよびサブアッパーの下縁の固着縁部が固着されるソールとを備え、
前記メインアッパーは舌片で覆われた切欠きと、前記切欠きに沿って２列に並び前記シューレースが通る第１ハトメ孔とを有し、
前記サブアッパーは、距骨の内側面および外側面と踵骨の内側面、外側面および背面を各々覆う部分を有し、前記各側面および背面において足の表面に接触し、
前記サブアッパーは下部と、前記下部の上方の上部とを有し、前記下部は前記メインアッパーに覆われ、
前記舌片の後部と前記サブアッパーの上部は、着用時に脚が上方に出る履口を形成しており、前記履口において足にフィットし、
前記上部は、内踝および外踝の真下から後方に向って斜め上方に延びて前記外踝の下端よりも上方のレベルにおいてアキレス腱の下部を覆い、
前記上部は前記内踝および前記外踝の真下から前方に向って踵骨の前端よりも前方に延びる前方延出部を有し、前記前方延出部の少なくとも一部は前記アッパーに覆われており、前記前方延出部を含む前記上部は前記メインアッパーに付着されておらず、
前記前方延出部には第２ハトメ孔を形成するハトメ部が設けられており、
前記メインアッパーの内外には前記ハトメ部が通り前記第２ハトメ孔を前記メインアッパーの外に露出させる貫通孔が形成されており、
前記シューレースが前記複数の第１および第２ハトメ孔に通されて締付力を発揮した状態において、
前記第２ハトメ孔の近傍のシューレースの部位による締付力で前記ハトメ部が足の中央に引き寄せられると共に前記ハトメ部が前記貫通孔において前記メインアッパーに係合することで屈曲し、これにより、前記締付力の方向が変えられて前記前方延出部を含む前記上部が前方に向って引っ張られ、かつ、前記第１ハトメ孔のうち前記第２ハトメ孔よりも後方の前記第１ハトメ孔の近傍のシューレースの部位による締付力で、前記メインアッパーが足の中央に引き寄せられて、前記メインアッパーに覆われた前記前方延出部の部分が足の上部側面に押し付けられて、前記サブアッパーの前記上部が足の前記上部側面にフィットする靴。
【請求項２】
踵のフィッティングを改良した靴であって、
爪先の先端から踵の側面まで連なって、前記爪先、足の内側および外側を各々覆うメインアッパーと、前記メインアッパーとは別の部材で形成され前記メインアッパー内において踵を覆い中足骨の遠位骨頭を覆わないサブアッパーと、前記メインアッパーおよびサブアッパーを足にフィットさせるシューレースと、前記メインアッパーおよびサブアッパーの下縁の固着縁部が固着されるソールとを備え、
前記メインアッパーは舌片で覆われた切欠きと、前記切欠きに沿って２列に並び前記シューレースが通る第１ハトメ孔とを有し、
前記サブアッパーは、距骨の内側面および外側面と踵骨の内側面、外側面および背面を各々覆う部分を有し、前記各側面および背面において足の表面に接触し、
前記サブアッパーは下部と、前記下部の上方の上部とを有し、前記下部は前記メインアッパーに覆われ、
前記舌片の後部と前記サブアッパーの上部は、着用時に脚が上方に出る履口を形成しており、前記履口において足にフィットし、
前記サブアッパーの上部は足の上部にフィットするのに役立つクッション材が生地に積層された積層部を有しており、前記積層部は前記クッション材により前記足の表面に向って膨らんでおり、
前記上部の積層部は、内踝および外踝の真下から後方に向って斜め上方に延びて前記外踝の下端よりも上方のレベルにおいてアキレス腱の下部を覆い、
前記上部は前記内踝および前記外踝の真下から前方に向って踵骨の前端よりも前方に延びる前方延出部を有し、前記前方延出部の少なくとも一部は前記アッパーに覆われており、前記前方延出部を含む前記上部は前記メインアッパーに付着されておらず、
前記前方延出部には第２ハトメ孔を形成するハトメ部が設けられており、
前記メインアッパーの内外には前記ハトメ部が通り、前記第２ハトメ孔を前記メインアッパーの外に露出させる貫通孔が形成されており、
前記シューレースが前記複数の第１および第２ハトメ孔に通されて締付力を発揮した状態において、
前記第２ハトメ孔の近傍のシューレースの部位による締付力で前記ハトメ部が足の中央に引き寄せられると共に前記ハトメ部が前記貫通孔において前記メインアッパーに係合することで屈曲し、これにより、前記締付力の方向が変えられて前記前方延出部を含む上部が前方に向って引っ張られ、かつ、前記第１ハトメ孔のうち前記第２ハトメ孔よりも後方の前記第１ハトメ孔の近傍のシューレースの部位による締付力で、前記メインアッパーが足の中央に引き寄せられて、前記メインアッパーに覆われた前記前方延出部の部分が足の上部側面に押し付けられて、前記クッション材を有する積層部が足の前記上部側面にフィットする靴。
【請求項３】
請求項２の靴において、前記前方延出部は前記サブアッパーの前記固着縁部よりも前方に延び、前記サブアッパーの固着縁部の前端は踵骨の前端よりも後方に配置され、前記前方延出部の下縁の非固着縁部は前記下縁の固着縁部の前端に向かって斜め後方に延びる。
【請求項４】
請求項２の靴において、前記サブアッパーの上部は内踝および外踝の後端の真下から踵の背面にわたって前記メインアッパーに収容されていない露出部を有し、
前記メインアッパーは前記踵骨の下部を背面から覆っている。
【請求項５】
請求項４の靴において、前記メインアッパーと前記サブアッパーとは、踵の背後において互いに付着されており、かつ、踝の真下の前記サブアッパーの上部およびその前方の部位において互いに付着されていない。
【請求項６】
請求項２の靴において、前記シューレースの締付時に前記サブアッパーの上部が前後に伸びるように、生地が柔軟な素材で形成されている。
【請求項７】
請求項６の靴において、前記生地は前記クッション材を挟む内皮および外皮で形成され、前記外皮には前記サブアッパーの上縁から離れた下方に、前記積層部が足の側面に沿うように、前記積層部よりも硬く平面断面がＵ字形状の合成樹脂からなるカウンターが踵の背面から内外の側面にわたって固着されている。
【請求項８】
前記請求項７の靴において、前記カウンターの前端よりも前方に前記前方延出部が延びており、
前記カウンターの前端よりも前方の部位において前記シューレースの締付力により前記メインアッパーが前記前方延出部を足の側面に押し付ける。
【請求項９】
請求項８において、前記カウンターはサブアッパーの積層部に沿って配置され、
前記メインアッパーの上縁は後方に向って踵の後端まで斜め下方に延びており、
前記メインアッパーは前記カウンターの前端部を覆い、かつ、前記サブアッパーの上部において前記カウンターの後部を覆わない。
【請求項１０】
踵のフィッティングを改良した靴であって、
爪先の先端から踵の側面まで連なるメインアッパーと、前記メインアッパーとは別の部材で形成され前記メインアッパー内において踵に沿うサブアッパーと、前記メインアッパーおよびサブアッパーを足にフィットさせるシューレースと、前記メインアッパーおよびサブアッパーの下縁の固着縁部が固着されるソールとを備え、
前記メインアッパーは前記シューレースが通る第１ハトメ孔を有し、
前記サブアッパーは踵を覆う柔軟な部分を有し、前記メインアッパー内において前記踵の側面および背面に接触し、
前記サブアッパーは下部と前記下部の上方の上部とを有し、前記下部は前記メインアッパーに覆われ、
前記舌片の後部と前記サブアッパーの上部は、着用時に脚が上方に出る履口を形成しており、前記履口において足にフィットし、
前記上部には第２ハトメ孔を形成するハトメ部が設けられており、
前記メインアッパーの内外には前記ハトメ部が通り、前記第２ハトメ孔を前記メインアッパーの外に露出させる貫通孔が形成されており、
前記シューレースが前記複数の第１および第２ハトメ孔に通されて締付力を発揮した状態において、
前記第２ハトメ孔の近傍のシューレースの部位による締付力で前記ハトメ部が足の中央に引き寄せられることで前記上部が前方に向って引っ張られて足の前記上部側面にフィットする靴。
【請求項１１】
請求項１０の靴において、前記サブアッパーの上部は足の上部にフィットするのに役立つクッション材と前記クッション材を挟む内皮および外皮とが積層された積層部を有しており、前記積層部は前記クッション材により足の表面に向って膨らんでおり、
前記上部の積層部は内外の踝の真下から後方に向って延び、
前記上部は前記内外の踝の真下から前方に向って踵骨の前端よりも前方に延びて前記サブアッパーの前記固着縁部よりも前方に延びる前方延出部を有する。
【請求項１２】
請求項１１の靴において、前記シューレースが前記複数の第１および第２ハトメ孔に通されて締付力を発揮した状態において、前記積層部が前方に引っ張られて足の上部側面にフィットする。
【請求項１３】
請求項１２の靴において、前記シューレースが前記複数の第１および第２ハトメ孔に通されて締付力を発揮した状態において、前記第１ハトメ孔のうち前記第２ハトメ孔よりも後方の前記第１ハトメ孔の近傍のシューレースの部位による締付力で、前記メインアッパーが足の中央に引き寄せられて、前記メインアッパーの内の前記上部の前方延出部が足の前記上部側面に押し付けられて、前記クッション材を有する積層部が足の前記上部側面にフィットする。
【請求項１４】
請求項１０の靴において、前記サブアッパーは内踝および外踝の後端の真下から踵の背面にわたって前記メインアッパーに収容されていない露出部を有し、
前記メインアッパーは前記踵骨の下部を背面から覆っている。
【請求項１５】
請求項１４の靴において、前記メインアッパーと前記サブアッパーとは、踵の背後において互いに付着されており、かつ、踝の真下の前記サブアッパーの上部およびその前方の部位において互いに付着されていない。
【請求項１６】
請求項１１の靴において、前記外皮には前記サブアッパーの上縁から離れた下方に、前記上部が足の側面に沿うように、前記積層部よりも硬く平面断面がＵ字形状の合成樹脂からなるカウンターが踵の背面から内外の側面にわたって固着されている。
【請求項１７】
前記請求項１６の靴において、前記カウンターの前端よりも前方に前記前方延出部が延びており、
前記内外のカウンターの前端よりも前方の部位において前記シューレースの締付力により前記メインアッパーが前記前方延出部を足の側面に押し付ける。
【請求項１８】
請求項１７において、前記カウンターはサブアッパーの積層部に沿って配置され、
前記メインアッパーの上縁は後方に向って踵の後端まで斜め下方に延びており、
前記メインアッパーは前記カウンターの前端部を覆い、かつ、前記サブアッパーの上部において前記カウンターの後部を覆わない。
【国際調査報告】
2011058614.tif 000020
2011058614.tif 000021
2011058614.tif 000022
2011058614.tif 000023